(57)【要約】【課題】蝶番があっても遊技機内のスペースを確保できる遊技機を提供する。【解決手段】本発明の遊戯機は、筐体２と、前面扉１と、筐体２の側板に固定される固定部材１１、前面扉１に固定される可動部材１２、及び固定部材１１と可動部材１２とを連結する蝶番軸１３を有する蝶番４と、を備える。固定部材１１は、筐体２の側板２ｂの前面の小口２ｂ１よりも前面扉１に向かって突出する。固定部材１１の前端部に小口２ｂ１から離れて蝶番軸１３が挿入される軸受部１１ｂを設ける。固定部材１１が露出するように、前面扉１の側板の少なくとも一部を切り欠く。【選択図】図１０
2015024023.tif 000002
【特許請求の範囲】
【請求項１】
筐体と、
前面扉と、
前記筐体の側板に固定される固定部材、前記前面扉に固定される可動部材、及び前記固定部材と前記可動部材とを連結する蝶番軸を有する蝶番と、を備え、
前記固定部材は、前記筐体の前記側板の前面の小口よりも前記前面扉に向かって突出しており、
前記固定部材の前端部に、前記小口から離れて前記蝶番軸が挿入される軸受部を設け、
前記固定部材が露出するように、前記前面扉の側板の少なくとも一部を切り欠く遊戯機。
【請求項２】
前記固定部材は、
前記筐体の前記側板の内面に固定される第一のプレート部と、
前記筐体の前記側板の前面の小口に沿うように前記第一のプレート部から前記筐体の外側に向かって折れ曲がる第二のプレート部と、
前記第二のプレート部から前記前面扉に向かって突出するように折れ曲がる第三のプレート部と、を有し、
前記固定部材の前記軸受部は、前記第三のプレート部の前端部に設けられることを特徴とする請求項１に記載の遊戯機。
【請求項３】
前記可動部材は、前記前面扉に固定されると共に、前記蝶番軸が挿入される軸受部が設けられる第四のプレート部を有し、
前記前面扉を閉じた状態において、前記固定部材の前記第三のプレート部と前記可動部材の第四のプレート部とが直交することを特徴とする請求項２に記載の遊戯機。
【請求項４】
前記可動部材は、前記第四のプレート部から前記筐体に向かって突出するように折れ曲がる第五のプレート部を有することを特徴とする請求項３に記載の遊戯機。
【請求項５】
前記可動部材は、前記第五のプレート部から前記筺体の外側に向かって前記第四のプレート部と平行に折れ曲がる第六のプレート部を有することを特徴とする請求項４に記載の遊技機。
【発明の詳細な説明】
【技術分野】
【０００１】
本発明は、筺体に蝶番を介して前面扉を開閉可能に支持するスロットマシン、パチンコ機、これらの融合機等の遊技機に関する。
【背景技術】
【０００２】
例えばスロットマシンの前面扉には、プレイヤがメダルを投入するメダル投入口、プレイヤが操作可能なボタン、遊戯の進行に伴いプレイヤに遊戯状態を表示する液晶表示パネル、払い出されるメダルを受けるメダル受け皿等が設けられる。スロットマシンの筺体には、電源ボックス、スロットマシンの遊戯を制御する制御装置、メダルを貯留するタンク等が設けられる。これらの各種機器を点検、調整するために、前面扉は蝶番を介して筺体に対して開閉可能に支持される。
【０００３】
従来の典型的な遊技機用の蝶番として、図２０（ａ）及び図２０（ｂ）に示す蝶番が知られている（同様の蝶番は例えば特許文献１に記載されている）。図２０（ａ）は前面扉を閉じた状態の蝶番を示し、図２０（ｂ）は前面扉を開いた状態の蝶番を示す。この蝶番は、筺体１０１の左側の側板１０２の内面に固定される固定プレート１０４と、前面扉１０３に固定される可動プレート１０５と、固定プレート１０４と可動プレート１０５とを連結する蝶番軸１０６と、を備える。前面扉１０３を開閉するとき、固定プレート１０４に対して可動プレート１０５が蝶番軸１０６の回りを回転する。
【先行技術文献】
【特許文献】
【０００４】
【特許文献１】特開２００３−１５４０５１号公報
【発明の概要】
【発明が解決しようとする課題】
【０００５】
図２０（ａ）に示すように、従来の遊技機用の蝶番にあっては、固定プレートが筺体の内側に折れ曲がっている。これは防犯性を向上するために、前面扉１０３の側板１０７を筐体１０１の側板１０２の小口１０２ａまで突出させ、筐体１０１の側板１０２と前面扉１０３の側板１０７との隙間をなくしていることに起因する。図２０（ｂ）に示すように、前面扉１０３が所定の開き角度まで開くようにするためには、固定プレート１０４を筐体の内側に折り曲げる必要がある。固定プレート１０４を筐体１０１の内側に折り曲げないと、前面扉１０３の側板１０７が固定プレート１０４に当たり、前面扉１０３を所定の開き角度まで開くことができなくなる。
【０００６】
しかし、固定プレートを筺体の内側に折り曲げると、遊技機内のスペースがその分少なくなるという問題がある。前面扉及び筺体内には各種の機器が組み込まれる。遊技機内のスペースが少しでも確保できる遊戯用の蝶番が要請されている。
【０００７】
そこで本発明は、蝶番があっても遊技機内のスペースを確保できる遊技機を提供することを目的とする。
【課題を解決するための手段】
【０００８】
上記課題を解決するために、本発明は、筐体と、前面扉と、前記筐体の側板に固定される固定部材、前記前面扉に固定される可動部材、及び前記固定部材と前記可動部材とを連結する蝶番軸を有する蝶番と、を備え、前記固定部材は、前記筐体の前記側板の前面の小口よりも前記前面扉に向かって突出しており、前記固定部材の前端部に、前記小口から離れて前記蝶番軸が挿入される軸受部を設け、前記固定部材が露出するように、前記前面扉の側板の少なくとも一部を切り欠く遊戯機である。
【発明の効果】
【０００９】
本発明によれば、筐体の側板に固定される固定部材を前面扉に向かって突出させ、固定部材が露出するように前面扉の側板の少なくとも一部を切り欠くので、固定部材が前面扉の側板の一部を成し、固定部材が筐体の側板と前面扉の側板との隙間を埋めるようになる。このため、従来の遊戯機用の蝶番のように固定部材を筐体の内側に折り曲げる必要がなくなり、遊技機内のスペースを確保することができる。
【図面の簡単な説明】
【００１０】
【図１】図１（ａ）は前面扉を閉じた状態の本実施形態のスロットマシンの斜視図であり、図１（ｂ）は前面扉を開いた状態の本実施系形態のスロットマシンの斜視図である。
【図２】本実施形態のスロットマシンの分解斜視図である。
【図３】前面扉の背面側の斜視図である。
【図４】図４（ａ）は前面扉の背面図であり、図４（ｂ）は図４（ａ）のｂ−ｂ線断面図であり、図４（ｃ）は図４（ｂ）のｃ部詳細図であり、図４（ｄ）は図４（ｂ）のｄ部詳細図である。
【図５】図５（ａ）は前面扉が閉じた状態のスロットマシンの左側面図であり、図５（ｂ）は前面扉が開いた状態のスロットマシンの左側面図である。
【図６】図６（ａ）は本実施形態のスロットマシンの垂直断面図であり、図６（ｂ）は図６（ａ）のｂ部詳細図を示し、図６（ｃ）は図６（ａ）のｃ部詳細図である。
【図７】図７（ａ）は可動プレートが閉じた状態の蝶番の斜視図であり、図７（ｂ）は可動プレートが開いた状態の蝶番の斜視図であり、図７（ｃ）は図７（ａ）のｃ部詳細図であり、図７（ｄ）は図７（ｂ）のｄ部詳細図である。
【図８】図８（ａ）は蝶番の斜視図であり、図８（ｂ）は蝶番の分解斜視図である。
【図９】図９（ａ）は図８のIXa部詳細図であり、図９（ｂ）は図８のIXb部詳細図であり、図９（ｃ）は図８のIXc部詳細図であり、図９（ｄ）は図８のIXd部詳細図である。
【図１０】図１０（ａ）は図５（ａ）のXa−Xa線断面図であり、図１０（ｂ）は図５（ａ）のXb−Xb線断面図である。
【図１１】図１１（ａ）は図５（ｂ）のXIa−XIa線断面図であり、図１１（ｂ）は図５（ｂ）のXIb−XIb線断面図である。
【図１２】図１２（ａ）は蝶番の可動プレートを前面扉に取り付ける工程図であり、図１２（ｂ）は図１２（ａ）のｂ部詳細図である。
【図１３】図１３（ａ）は前面扉への蝶番の取り付けが完了した状態の工程図であり、図１３（ｂ）は図１３（ａ）のｂ部詳細図である。
【図１４】前面扉に固定された蝶番を筐体に取り付ける工程図である。
【図１５】筐体の突起への固定プレートのスリットの嵌め込みが完了した状態を示す工程図である。
【図１６】図１６（ａ）は固定プレートを筐体の側板に固定する工程図であり、図１６（ｂ）は図１６（ａ）のｂ部詳細図である。
【図１７】図１７（ａ）は筐体の側板への蝶番の取り付けが完了した状態を示す工程図であり、図１７（ｂ）は図１７（ａ）のｂ部詳細図である。
【図１８】図１８（ａ）は固定プレート及び前面扉の側面に化粧プレートを取り付ける工程図であり、図１８（ｂ）は図１８（ａ）のｂ部詳細図である。
【図１９】図１９（ａ）は化粧プレートの取付けが完了した状態を示す工程図であり、図１９（ｂ）は図１９（ａ）のｂ部詳細図であり、図１９（ｃ）は化粧プレートと固定プレートのスナップフィットを示す断面図である。
【図２０】図２０（ａ）は従来のスロットマシンの前面扉が閉じた状態を示す水平断面図であり、図２０（ｂ）は従来のスロットマシンの前面扉が開いた状態を示す水平断面図である。
【発明を実施するための形態】
【００１１】
以下添付図面に基づいて、本発明の一実施形態のスロットマシンを説明する。図１（ａ）は前面扉１を閉じた状態の本実施形態のスロットマシンの斜視図を示し、図１（ｂ）は前面扉１を開いた状態の本実施形態のスロットマシンの斜視図を示す。スロットマシンの筐体２の左側の側板２ｂには、蝶番４を介して前面扉１がその左側の一辺を軸にして開閉可能に取り付けられる。ここで、筺体２及び前面扉１の左側及び右側とは、スロットマシンのプレイヤから見たときの左側及び右側である。前面扉１を閉じた状態で、筐体２と前面扉１とは図示しない施錠装置で施錠される。
【００１２】
筐体２は箱形状に形成されており、背面板２ｅと、背面板２ｅの周囲に設けられる枠体２ａ〜２ｄと、を備える。枠板２ａ〜２ｄは、上板２ａと、左右一対の側板２ｂ，２ｃと、底板２ｄと、を備える。枠体２ａ〜２ｄの小口２−１（すなわち枠体の前面）は垂直面から所定角度傾斜する。前面扉１も垂直面から所定角度傾斜し、蝶番４の蝶番軸も垂直方向から所定角度傾斜する。
【００１３】
図２は、スロットマシンの分解斜視図を示す。蝶番４は、スロットマシンの筐体２の側板に固定される固定部材としての固定プレート１１と、前面扉１の扉本体１ａに固定される可動部材としての可動プレート１２と、を備える。固定プレート１１及び可動プレート１２はいずれも、筐体２及び前面扉１の上下方向の略全長に渡って伸びる。固定プレート１１と可動プレート１２とは蝶番軸１３を介して連結される。可動プレート１２は固定プレート１１に対して蝶番軸１３の回りを回転可能である。固定プレート１１は複数のねじ等の締結部材１５によって筐体２の側板２ｂに固定される。可動プレート１２も複数のねじ等の締結部材１６によって前面扉１の扉本体１ａに固定される。蝶番４の詳細な構造は後述する。
【００１４】
スロットマシンの前面扉１には、プレイヤがメダルを投入するメダル投入口、プレイヤが操作可能なボタン、遊戯の進行に伴いプレイヤに遊戯状態を表示する液晶表示パネル、払い出されるメダルを受けるメダル受け皿等が設けられる。スロットマシンの筐体２には、電源ボックス、スロットマシンの遊戯を制御する制御装置、メダルを貯留するタンク等が設けられる。
【００１５】
図３は前面扉１の背面側の斜視図を示す。前面扉１は、扉本体１ａと、扉本体１ａの周囲に設けられる枠体１ｂ〜１ｄと、を備える。枠体１ｂ〜１ｄは扉本体１ａの背面から筐体２に向かって突出する。枠体１ｂ〜１ｄは、扉本体１ａの上側の一辺に設けられる上板１ｃと、扉本体１ａの左側の一辺に設けられる側板１ｂと、扉本体１ａの下側の一辺に設けられる底板１ｄと、を備える。扉本体１ａの右側の一辺の側板は切り欠かれている。扉本体１ａの右側の一辺が蝶番４の釣元になる。扉本体１ａの右側の一辺には、可動プレート１２を扉本体１ａに固定するためのねじ孔１７が上下方向に複数形成される。
【００１６】
図４は前面扉１の背面側の詳細図を示す。上記のように、前面扉１の右側の側板は切り欠かれている。このため、図４（ｂ）の断面図に示すように、左側の側板１ｂのみが筐体２に向かって突出する。扉本体１ａの右側の辺には、可動プレート１２を扉本体１ａに固定するための複数のねじ孔１７が上下方向に配列される。図４（ｄ）に示すように、扉本体１ａの右側の一辺には、断面四角形の逃げ溝１ｅが形成される。逃げ溝１ｅを形成するのは、開いた状態の前面扉１が蝶番４に干渉するのを防止するためである（図１１（ｂ）参照）。
【００１７】
図５（ａ）は前面扉１が閉じた状態のスロットマシンの左側面図を示し、図５（ｂ）は前面扉１が開いた状態のスロットマシンの左側面図を示す。上記のように前面扉１の一方の側板は切り欠かれる。図５（ａ）に示すように固定プレート１１は前面扉１の側板の切欠き１８から露出する。固定プレート１１は閉じた状態の前面扉１の一部を成す。前面扉１から露出する固定プレート１１の側面及び前面扉１の側面には、化粧プレート１９が取り付けられる（図２、図１８参照）。化粧プレート１９は固定プレート１１及び前面扉１の一部を構成する。前面扉１を閉じた状態で固定プレート１１の側面１１ａ１（化粧プレート１９の表面）と前面扉１の側面１ａ１（化粧プレート１９の表面）とは同一平面上に存在する（図１０（ａ）参照）。
【００１８】
図６（ａ）はスロットマシンの垂直断面図を示し、図６（ｂ）は図６（ａ）のｂ部詳細図を示し、図６（ｃ）は図６（ａ）のｃ部詳細図を示す。前面扉１の扉本体１ａの上端部には、上板１ｃに沿って水平方向に伸びる断面コ字形ないしＵ字形の防御金具２１が取り付けられる。前面扉１の扉本体１ａの下端部にも、下板１ｄに沿って水平方向に伸びる断面コ字形ないしＵ字形の防御金具２２が取り付けられる。筐体２の上板２ａの下面には、上側の防御金具２１に入り込む阻止プレート２３が固定される。筐体２の底板２ｄの上面には、下側の防御金具２２に入り込む阻止プレート２４が固定される。防御金具２１，２２及び阻止プレート２３，２４は防犯性を向上させる役割を持ち、例えば筐体２と前面扉１の隙間から針金等を進入させることができないようにする。
【００１９】
図７（ａ）は可動プレート１２が閉じた状態の蝶番４の斜視図を示し、図７（ｂ）は可動プレート１２が開いた状態の蝶番４の斜視図を示す。蝶番４は、固定プレート１１と、可動プレート１２と、固定プレート１１と可動プレート１２とを連結する蝶番軸１３と、を備える。固定プレート１１及び可動プレート１２は板材を曲げ加工することで形成される。固定プレート１１には固定プレート１１を筐体２に固定するための通し孔１１ａが上下方向に複数配列される。可動プレート１２にも可動プレート１２を前面扉１に固定するための通し孔１２ａが上下方向に複数配列される。固定プレート１１と可動プレート１２とは蝶番軸１３を介して連結される。可動プレート１２は固定プレート１１に対して閉じた状態から開いた状態まで約９０度回転する。
【００２０】
図８（ａ）は蝶番４の斜視図を示し、図８（ｂ）は蝶番４の分解斜視図を示す。固定プレート１１には、筒形の軸受部１１ｂが上下方向に細長く形成される。軸受部１１ｂは固定プレート１１の上下方向の中央部のみに形成され、上下端部には形成されていない。可動プレート１２の上下方向の端部には、一対の筒形の軸受部１２ｂが上下方向に細長く形成される。可動プレート１２の軸受部１２ｂと固定プレート１１の軸受部１１ｂを組み合わせると、軸受部１２ｂ，１１ｂが可動プレート１２及び固定プレート１１の上端から下端まで一直線に繋がる。軸受部１２ｂ，１１ｂには蝶番軸１３が挿入される。図９（ｄ）の詳細図に示すように、蝶番軸１３の上端部の周囲には凹溝１３ａが形成される。図９（ａ）の詳細図に示すように、この凹溝１３ａにＥリング等の止め輪２６を止め、固定プレート１１及び可動プレート１２から蝶番軸１３が落下するのを防止する。
【００２１】
図８（ｂ）及び図９（ａ）に示すように、固定プレート１１の上端部には防御スペーサ３１が取り付けられる。防御スペーサ３１は、蝶番４の固定プレート１１と前面扉１との間の隙間を埋める役割（図１０（ａ）参照）と防犯性を向上させる役割を持つ。固定プレート１１に防御スペーサ３１を取り付けることで、可動プレート１２の軸受部と固定プレート１１との間の隙間３２から針金等を進入させることができないようになる。図９（ｂ）に示すように、固定プレート１１の下端部にも同様の目的で防御スペーサ３３が取り付けられる。
【００２２】
図１０（ａ）及び図１０（ｂ）は、図５（ａ）のXa−Xa線断面図及びXb−Xb線断面図、すなわち前面扉１が閉じた状態の蝶番４の上部及び下部の断面図を示す。図１１（ａ）及び図１１（ｂ）は、図５（ｂ）のXIa−XIa線断面図及びXIb−XIb線断面図、すなわち前面扉１が開いた状態の蝶番４の上部及び下部の断面図を示す。
【００２３】
固定プレート１１は、筐体２の側板１ｂの内面に固定される第一のプレート部１１−１と、筐体２の側板２ｂの前面の小口２ｂ１に沿うように第一のプレート部１１−１から筐体２の外側に向かって折れ曲がる第二のプレート部１１−２と、第二のプレート部１１−２から前面扉１に向かって突出するように折れ曲がる第三のプレート部１１−３と、を有する。第一のプレート部１１−１と第二のプレート部１１−２とは直交し、第二のプレート部１１−２と第三のプレート部１１−３とは直交し、第一のプレート部１１−１と第三のプレート部１１−３とは平行である。軸受部１１ｂは第三のプレート部１１−３の前端部（図１０の右端部）に小口２ｂ１から離れて設けられる。この例のように、固定プレート１１を筐体２の側板２ｂの小口２ｂ１に沿うように筐体２の外側に折り曲げることで、筐体２の内部のスペースを確保することができる。
【００２４】
可動プレート１２は水平断面形状がコの字形状ないしＣ字形状に形成される。可動プレート１２は、前面扉１の扉本体１ａに固定される第四のプレート部１２−４を備える。第四のプレート部１２−４に軸受部１２ｂが設けられる。前面扉１が閉じた状態において、固定プレート１１の第三のプレート部１１−３と可動プレート１２の第四のプレート部１２−４とが直交する。このため、固定プレート１１に防御スペーサ３１を埋め込むことが可能になり、防犯性が向上する。
【００２５】
可動プレート１２は、第四のプレート部１２−４から筐体２に向かって突出するように折れ曲がる第五のプレート部１２−５と、第五のプレート部１２−５から筐体２の外側に向かって第四のプレート部１２−４と平行に折れ曲がる第六のプレート部１２−６を有する。可動プレート１２の第四のプレート部１２−４と第五のプレート部１２−５は直交し、第五のプレート部１２−５と第六のプレート部１２−６は直交する。可動プレート１２に第五のプレート部１２−５を設けることで、固定プレート１１と可動プレート１２との隙間から進入する針金等を防御することができる。さらに、可動プレート１２に第六のプレート部１２−６を設け、可動プレート１２の水平断面形状をコの字形状ないしＣ字形状に形成することで、針金等の進入をより防御することができる。
【００２６】
再び図８（ｂ）及び図９（ｂ）に示すように、固定プレート１１には摘み３５が固定される。固定プレート１１を筐体２の側板２ｂに取り付けるときの操作を補助するためである。
【００２７】
図８（ａ）に示すように、固定プレート１１には二か所のスリット３６が形成される。スリット３６は筐体２の奥に向かって下方に傾斜する。筐体２にはスリット３６に嵌まる二つの突起３７が設けられる（図２参照）。固定プレート１１を筐体２に取り付けるとき、突起３７にスリット３６を嵌めることで、固定プレート１１の取り付けが容易になると共に、固定プレート１１の上下方向の位置決めが可能になる。
【００２８】
図８（ａ）及び図９（ａ）に示すように、固定プレート１１の上端部には、折り曲げられた曲げ起こし部３８が形成される。曲げ起こし部３８はスリットと同様に筐体２の奥に向かって下方向に傾斜する。筐体２の側板２ｂの上下には、ガイド治具４１，４２が取り付けられる（図２及び図１４参照）。上側のガイド治具４１は、固定プレート１１の上部が筐体２の側板２ｂに沿うように案内すると共に、曲げ起こし部３８を下方から支持する（図１０（ａ）参照）。下側のガイド治具４２は、固定プレート１１の下部が筐体２の側板２ｂに沿うように案内する。固定プレート１１のスリット３６、曲げ起こし部３８、上下のガイド治具４１，４２によって、固定プレート１１の取り付け性を向上させることができる。
【００２９】
図１２ないし図１９はスロットマシンの組立ての工程図を示す。まず、図１２（ａ）に示すように、蝶番４の可動プレート１２をねじ等の締結部材１６によって前面扉１に取り付ける。可動プレート１２の第六のプレート部１２−６には、締結部材の頭部を通過させる通し孔４３が形成される。図１３（ａ）は前面扉１への蝶番４の取り付けが完了した状態を示す。
【００３０】
次に、図１４に示すように、前面扉１に固定された蝶番４を筐体２に取り付ける。このとき、右手で摘まみ３５をも持ち、左手で前面扉１を保持しながら、固定プレート１１のスリット３６を筐体２の突起３７に嵌める。筐体２の上下のガイド治具４１，４２は固定プレート１１のスリット３６が筐体２の突起３７に嵌まるように固定プレート１１を案内する。図１５は筐体２の突起３７への固定プレート１１のスリット３６の嵌め込みが完了した状態を示す。
【００３１】
次に、図１６（ａ）に示すように、固定プレート１１をねじ等の締結部材１５によって筐体２の側板２ｂに固定する。図１７（ａ）は筐体２の側板２ｂへの固定プレート１１の取り付けが完了した状態を示す。
【００３２】
次に、図１８（ａ）に示すように、固定プレート１１及び前面扉１の側面に化粧プレート１９を取り付ける。図１８（ｂ）に示すように、化粧プレート１９は、筐体１に取り付けられる筐体側の化粧プレート１９ａと、前面扉１に取り付けられる前面扉側の化粧プレート１９ｂと、を備える。図１９（ａ）は化粧プレート１９の取付けが完了した状態を示す。図１９（ｃ）に示すように、化粧プレート１９は例えば弾性変形可能なフック状の爪片１９ｃを有し、スナップフィットにより固定プレート１１に固定される。
【００３３】
なお、本発明は上記実施形態に具現化されるのに限られることはなく、本発明の要旨を変更しない範囲で様々な実施形態に変更できる。
【００３４】
上記実施形態では、遊戯機としてスロットマシンの例を説明したが、本発明はスロットマシンに限られることはなく、パチンコ機、スロットマシンとパチンコ機の融合機、ゲームセンタのゲーム機等に適用することができる。
【００３５】
上記実施形態では、前面扉の側板の上下方向の全長を切り欠いているが、前面扉の側板の上下方向の一部を切り欠くこともできる。
【００３６】
上記実施形態では、蝶番の蝶番軸を１本の蝶番軸から構成しているが、上下方向に分離された２本以上の蝶番軸から構成することもできる。
【００３７】
上記実施形態では、蝶番軸が固定プレートの軸受部及び可動プレートの軸受部に対して回転できるようになっているが、蝶番軸を固定プレートの軸受部及び可動プレートの軸受部いずれか一方に固定することもできる。
【００３８】
上記実施形態では、可動プレートに第五及び第六のプレート部を設けているが、第五及び第六のプレート部を省略することもできる。
【符号の説明】
【００３９】
１…前面扉
１ａ…扉本体
２…筐体
２ｂ…側板
２ｂ１…小口
４…蝶番
１１…固定プレート（固定部材）
１１ｂ…軸受部
１２…可動プレート（可動部材）
１２ｂ…軸受部
１３…蝶番軸
【図１】
2015024023.tif 000003
【図２】
2015024023.tif 000004
【図３】
2015024023.tif 000005
【図４】
2015024023.tif 000006
【図５】
2015024023.tif 000007
【図６】
2015024023.tif 000008
【図７】
2015024023.tif 000009
【図８】
2015024023.tif 000010
【図９】
2015024023.tif 000011
【図１０】
2015024023.tif 000012
【図１１】
2015024023.tif 000013
【図１２】
2015024023.tif 000014
【図１３】
2015024023.tif 000015
【図１４】
2015024023.tif 000016
【図１５】
2015024023.tif 000017
【図１６】
2015024023.tif 000018
【図１７】
2015024023.tif 000019
【図１８】
2015024023.tif 000020
【図１９】
2015024023.tif 000021
【図２０】
2015024023.tif 000022